(57)【要約】【課題】  この発明は、緊急警報放送を受信したことを他人に迷惑がかからないような方法でユーザに報知できるテレビ放送受信機能付き携帯型電話機を提供することを目的とする。【解決手段】  テレビ放送受信機能付き携帯型電話機において、緊急警報放送受信時に、緊急警報放送を受信したことを表すアイコンを表示器に表示させる手段を備えている。また、緊急警報放送終了時に、緊急警報放送を受信したことを表すアイコンを消去させる手段を備えている。【選択図】  図１
2005333260.tif 000002
【特許請求の範囲】
【請求項１】
緊急警報放送受信時に、緊急警報放送を受信したことを表すアイコンを表示器に表示させる手段を備えていることを特徴とするテレビ放送受信機能付き携帯型電話機。
【請求項２】
緊急警報放送終了時に、緊急警報放送を受信したことを表すアイコンを消去させる手段を備えていることを特徴とする請求項１に記載のテレビ放送受信機能付き携帯型電話機。
【発明の詳細な説明】
【技術分野】
【０００１】
この発明は、テレビ放送受信機能付き携帯型電話機に関する。
【背景技術】
【０００２】
最近、地上波デジタル放送を受信して提示する機能を備えた携帯型電話機、地上波デジタル放送を受信して提示する機能の他、地上波デジタル放送を録画する機能や再生する機能を備えた携帯型電話機が開発されている。これらの携帯型電話機を総称して、テレビ放送受信機能付き携帯型電話機ということにする。
【０００３】
ところで、地上波デジタル放送受信機において緊急警報放送を受信した場合、これまでの地上波アナログ放送受信機と同じように、緊急警報放送を受信したことを、ユーザに報知する仕組みを搭載することが求められている。従来の地上波アナログ放送受信機では、緊急警報放送を受信したときに、音をならしたり、ＬＥＤを発光させるものが存在する。      
【０００４】
しかしながら、テレビ放送受信機能付き携帯型電話機において、緊急警報放送を受信したときに、音をならしたり、ＬＥＤを発光させるようにすると、劇場、映画館等のように場所によっては、音や光による報知は他人に迷惑をかけるおそれがある。
【特許文献１】特開平１０−１２６２８５号公報
【発明の開示】
【発明が解決しようとする課題】
【０００５】
この発明は、緊急警報放送を受信したことを他人に迷惑がかからないような方法でユーザに報知できるテレビ放送受信機能付き携帯型電話機を提供することを目的とする。
【課題を解決するための手段】
【０００６】
この発明によるテレビ放送受信機能付き携帯型電話機は、緊急警報放送受信時に、緊急警報放送を受信したことを表すアイコンを表示器に表示させる手段を備えていることを特徴とする。緊急警報放送終了時に、緊急警報放送を受信したことを表すアイコンを消去させる手段を備えていることが好ましい。
【発明の効果】
【０００７】
この発明によれば、緊急警報放送を受信したことを他人に迷惑がかからないような方法でユーザに報知できるようになる。
【発明を実施するための最良の形態】
【０００８】
以下、図面を参照して、この発明の実施の形態について説明する。
【実施例１】
【０００９】
図１は、テレビ放送受信機能付き携帯型電話機の電気的構成を示している。
【００１０】
この携帯型電話機は、電話機能部２０と、テレビ放送受信機能部３０と、これらの機能部２０、３０を制御するＣＰＵ１０を備えている。ＣＰＵ１０には、各種キーを含む操作部１１、フラッシュメモリ１２等が接続されている。
【００１１】
電話機能部２０について説明する。電話通信用アンテナ２１によって受信された信号は、無線回路２２を介して信号処理回路２３に供給されて、デジタル受話信号が復調される。デジタル受話信号は、ＡＤ／ＤＡ変換器２４によってアナログ受話信号に変換される。アナログ受話信号は、第１増幅器２５によって増幅された後、スピーカ２６に送られる。      
【００１２】
マイクロフォン２８に入力された送話信号は、第２増幅器２７によって増幅された後、ＡＤ／ＤＡ変換器２４によってデジタル送話信号に変換される。デジタル送話信号は、信号処理回路２３に送られて、変調を受ける。変調を受けた送話信号は、無線回路２２を経て電話通信用アンテナ２１から送出される。
【００１３】
テレビ放送受信機能部３０について説明する。テレビ放送受信用アンテナ３１によって受信された地上波デジタル放送の放送波は、チューナ３２によってチューニングされ、これによって得られた携帯通信端末装置向けの放送信号は、一旦バッファメモリ３３に格納された後、デマルチプレクサ３４に供給される。
【００１４】
デマルチプレクサ３４では、入力された携帯通信端末装置向けの放送信号から、ユーザによって指定されている番組データが抽出される。また、伝送情報（ＴＭＣＣ：Transmission and Multiplenxing Configuration Control) やサービス情報が抽出されてＣＰＵ１０に送られる。伝送情報（ＴＭＣＣ）およびサービス情報は、フラッシュメモリ１２に記憶される。デマルチプレクサ３４によって抽出された番組データは、ＡＶセレクタ３５に供給され、映像データと音声データとが分離される。
【００１５】
ＡＶセレクタ３５によって分離された音声信号は、オーディオデコーダ３６に供給されてＭＰＥＧデコードされた後、アナログ音声信号に変換されてスピーカ３７に供給される。
【００１６】
ＡＶセレクタ３５によって分離された映像信号は、ビデオデコーダ３８に供給されてＭＰＥＧデコードされた後、ディスプレイ（表示器）３９に送られる。また、ディスプレイ３９に表示すべきキャラクタおよびグラフックス（アイコンを含む）を生成するためのキャラクタ・グラフィックスジェネレータ４０によって生成された信号がディスプレイ３９に送られる。
【００１７】
このテレビ放送受信機能付き携帯型電話機は、緊急警報放送を受信したときに、図２に示すようなアイコン（緊急放送受信アイコン）１００をディスプレイ３９に表示させる機能を備えている。
【００１８】
緊急警報放送を受信したことの検知は、次のようにして行われる。地上波デジタル放送では、緊急警報放送が発生した場合、放送波中に含まれているＴＭＣＣの緊急警報放送用起動フラグが”０”から”１”に変化する。また、この後、トランスポートストリーム信号（ＴＳ信号）に含まれているサービス情報の一種であるＰＭＴ（Program Map Table)中の緊急情報記述子のstart ＿end ＿flagが”０”から”１”に変化する。そこで、この実施例では、これらの２つのフラグを監視し、両フラグが共に”１”となったときに、緊急警報放送を受信した（緊急警報放送が開始された）と判別するようにしている。
【００１９】
図３は、緊急放送受信アイコンを表示したり消去したりするためのＣＰＵ１０による処理手順を示している。
【００２０】
以下の説明において、fEmergは、緊急放送受信アイコンが表示されている状態であるか消去されている状態であるかを記憶するためのフラグである。fEmergは、緊急放送受信アイコンが表示されている状態である場合にはセット（fEmerg＝１）され、緊急放送受信アイコンが消去されている状態である場合にはリセット（fEmerg＝０）される。
【００２１】
電源が投入されると、fEmergをリセット（fEmerg＝０）する（ステップＳ１）。そして、fEmergがセット（fEmerg＝１）されているか否かを判別する（ステップＳ２）。
【００２２】
fEmergがセットされていないときには（fEmerg＝０）、つまり、緊急放送受信アイコンが表示されていないときには、ＴＭＣＣの緊急警報放送用起動フラグが”１”であるか否かを判別する（ステップＳ３）。ＴＭＣＣの緊急警報放送用起動フラグが”０”である場合には、ステップＳ２に戻る。
【００２３】
ＴＭＣＣの緊急警報放送用起動フラグが”１”である場合には、ＰＭＴ中の緊急情報記述子のstart ＿end ＿flagが”１”であるか否かを判別する（ステップＳ４）。
【００２４】
ＰＭＴ中の緊急情報記述子のstart ＿end ＿flagが”０”である場合には、ステップＳ２に戻る。ＰＭＴ中の緊急情報記述子のstart ＿end ＿flagが”１”である場合には、緊急放送受信アイコンをディスプレイ３９に表示させる（ステップＳ５）。そして、fEmergをセット（fEmerg＝１）した後（ステップＳ６）、ステップＳ２に戻る。
【００２５】
上記ステップＳ２において、fEmergがセットされている（fEmerg＝１）と判別したときには、つまり、緊急放送受信アイコンが表示されていると判別したときには、ＴＭＣＣの緊急警報放送用起動フラグが”１”であるか否かを判別する（ステップＳ７）。ＴＭＣＣの緊急警報放送用起動フラグが”１”である場合には、ステップＳ５に移行する。したがって、緊急放送受信アイコンが表示されたままとなる。ＴＭＣＣの緊急警報放送用起動フラグが”０”である場合には、ＰＭＴ中の緊急情報記述子のstart ＿end ＿flagが”１”であるか否かを判別する（ステップＳ８）。
【００２６】
ＰＭＴ中の緊急情報記述子のstart ＿end ＿flagが”１”である場合には、ステップＳ５に移行する。したがって、緊急放送受信アイコンが表示されたままとなる。ＰＭＴ中の緊急情報記述子のstart ＿end ＿flagが”０”である場合には、緊急放送受信アイコンを消去する（ステップＳ９）。そして、fEmergをリセット（fEmerg＝０）した後（ステップＳ１０）、ステップＳ２に戻る。
【００２７】
折り畳み式の携帯型電話機においては、メインディスプレイの他に、折り畳まれた状態でも外部から見えるようにしたサブディスプレイが設けられているものがある。このような携帯型電話機においては、緊急放送受信アイコンをサブディスプレイに表示することが好ましい。なお、緊急放送受信アイコンを、メインディスプレイのみに表示してもよいし、サブディスプレイとメインディスプレイの両方に表示するようにしてもよい。
【図面の簡単な説明】
【００２８】
【図１】テレビ放送受信機能付き携帯型電話機の電気的構成を示すブロック図である。
【図２】緊急放送受信アイコンの一例を示す模式図である。
【図３】緊急放送受信アイコンを表示したり消去したりするためのＣＰＵによる処理手順を示すフローチャートである。
【符号の説明】
【００２９】
１０  ＣＰＵ
１２  フラッシュメモリ
２０  電話機能部
３０  テレビ放送受信機能部
３２  チューナ
３３  バッファメモリ
３４  デマルチプレクサ
３９  ディスプレイ
４０  キャラクタ・グラフィックスジェネレータ
１００  緊急放送受信アイコン
【図１】
2005333260.tif 000003
【図２】
2005333260.tif 000004
【図３】
2005333260.tif 000005